(57)【要約】【課題】  複数の関連した画像を記録媒体に記録する際に、フォーマットが変更されたことをユーザが意識することなく連続記録できるようにする。【解決手段】  同一記録媒体内の複数のフォーマットを識別できる記録画像装置において、連写撮影等の関連画像を記録する際に、第１のフォーマットの残り記録可能容量が少ないときは第２のフォーマットの前回記録したファイル名の次のファイル名で記録する。また動画記録中に第１のフォーマットの残り記録容量が少なくなった時、動画撮影を中断することなくファイルをクローズし、第２のフォーマットに続きの動画像を記録し、前記第１のフォーマットに記録した動画像ファイルと、前記第２のフォーマットに記録した動画像ファイルとを関連付けるようにする。【選択図】  図４
2005333249.tif 000002
【特許請求の範囲】
【請求項１】
着脱可能な記録媒体に複数の関連した画像を記録する記録装置において、
前記記録媒体内に存在するフォーマットの種類を識別し、前記識別したフォーマットに対応させて画像データを前記記録媒体に記録するデータ記録手段と、前記データ記録手段により前記記録媒体に記録する画像データの名称を連続したファイル名でネーミングする命名手段とを有し、
前記データ記録手段は、前記記録媒体に複数の関連した画像を記録する際に、記録中の画像フォーマットの残り記録可能容量が所定の容量より少ないときには、前記複数の関連した画像の残りの画像を、記録中の画像フォーマットとは異なる他の画像フォーマットに記録し、
前記命名手段は、前記複数の画像フォーマットに跨って記録された前記複数の関連した画像に関して、連続したファイル名を命名することを特徴とする記録装置。
【請求項２】
前記データ記録手段が記録する複数の関連した画像は動画像であり、前記動画像を記録している時に、記録中の画像フォーマットの残り記録容量が所定の容量より少なくなった時は、記録を中断することなくそのファイルをクローズし、記録中の画像フォーマットとは異なる他の画像フォーマットに続きの動画像を記録することを特徴とする請求項１に記載の記録装置。
【請求項３】
前記データ記録手段は、前記動画像と一緒に音声データを記録することを特徴とする請求項２に記載の記録装置。
【請求項４】
前記データ記録手段によって記録される複数の関連した画像が複数の画像フォーマットに跨る場合に、関連した複数のファイルを関連付けるリンク情報を保持するリンク情報保持手段を有することを特徴とする請求項１〜３の何れか１項に記載の記録装置。
【請求項５】
着脱可能な記録媒体に複数の関連した画像を記録する記録方法において、
前記記録媒体内に存在するフォーマットの種類を識別し、前記識別したフォーマットに対応させて画像データを前記記録媒体に記録するデータ記録工程と、前記データ記録工程により前記記録媒体に記録する画像データの名称を連続したファイル名でネーミングする命名工程とを有し、
前記データ記録工程は、前記記録媒体に複数の関連した画像を記録する際に、記録中の画像フォーマットの残り記録可能容量が所定の容量より少ないときには、前記複数の関連した画像の残りの画像を、記録中の画像フォーマットとは異なる他の画像フォーマットに記録し、
前記命名工程は、前記複数の画像フォーマットに跨って記録された前記複数の関連した画像に関して、連続したファイル名を命名することを特徴とする記録方法。
【請求項６】
前記データ記録工程において記録する複数の関連した画像は動画像であり、前記動画像を記録している時に、記録中の画像フォーマットの残り記録容量が所定の容量より少なくなった時は、記録を中断することなくそのファイルをクローズし、記録中の画像のフォーマットとは異なる他の画像フォーマットに続きの動画像を記録することを特徴とする請求項５に記載の記録方法。
【請求項７】
前記データ記録工程は、前記動画像と一緒に音声データを記録することを特徴とする請求項６に記載の記録方法。
【請求項８】
前記データ記録工程によって記録される複数の関連した画像が複数の画像フォーマットに跨る場合に、関連した複数のファイルを関連付けるリンク情報を保持するリンク情報保持工程を有することを特徴とする請求項５〜７の何れか１項に記載の記録方法。
【請求項９】
着脱可能な記録媒体に複数の関連した画像を記録する記録方法をコンピュータに実行させるコンピュータプログラムにおいて、
前記記録媒体内に存在するフォーマットの種類を識別し、前記識別したフォーマットに対応させて画像データを前記記録媒体に記録するデータ記録工程と、前記データ記録工程により前記記録媒体に記録する画像データの名称を連続したファイル名でネーミングする命名工程とを有し、
前記データ記録工程は、前記記録媒体に複数の関連した画像を記録する際に、記録中の画像フォーマットの残り記録可能容量が所定の容量より少ないときには、前記複数の関連した画像の残りの画像を、記録中の画像フォーマットとは異なる他の画像フォーマットに記録し、
前記命名工程は、前記複数の画像フォーマットに跨って記録された前記複数の関連した画像に関して、連続したファイル名を命名する記録方法をコンピュータに実行させることを特徴とするコンピュータプログラム。
【請求項１０】
前記請求項９に記載のコンピュータプログラムを記録したことを特徴とするコンピュータ読み取り可能な記録媒体。
【発明の詳細な説明】
【技術分野】
【０００１】
本発明は記録装置、記録方法、コンピュータプログラム及び記録媒体に関し、特に、同一記録媒体内に複数のフォーマットが存在するメディアを利用可能な画像記録装置に関する。
【背景技術】
【０００２】
近年、リムーバブルメディアは大容量化が進み、従来のフォーマットでは対応が難しくなってきている。例えば、ＦＡＴ（file allocation table）１６では２ＧＢのアドレッシングまでしか対応できない）。そのため、大容量メディアに対応するためＦＡＴ３２等の新規フォーマットが採用され始めている。
【０００３】
しかし、新規フォーマット採用メディアでは、従来フォーマットのみ対応の装置では画像の記録、再生ができないという問題が発生してしまう。このような点から、一つのメディアに従来フォーマットと新規フォーマットを混在させることにより従来フォーマットとの互換性を保つものが登場すると予想される。
【０００４】
従来、複数記録媒体における複数のフォーマットに対応した画像記録制御について考えられているものとしては、例えば、特許文献１において「画像取扱装置」が提案されている。
【０００５】
【特許文献１】特開平８−１５３３７６号公報
【発明の開示】
【発明が解決しようとする課題】
【０００６】
しかしながら、前記特許文献１において提案されている「画像取扱装置」は、同一記録媒体内に複数のフォーマットを有する場合の画像記録制御については何も考慮されていなかった。このため、同一記録媒体内に複数のフォーマットが存在すると、利用者はどのフォーマットを使用するのかを自ら選択しなければならず、操作が煩雑になる問題があった。
【０００７】
また、現在利用しているフォーマットの未使用容量が少なくなると、記録媒体内の未使用容量は十分あるにもかかわらず、連写撮影で所望の枚数まで記録できなかったり、動画記録が途中で中断されてしまったりする恐れもあった。
本発明は前述の問題点にかんがみ、複数の関連した画像を記録媒体に記録する際に、フォーマットが変更されたことをユーザが意識することなく連続記録できるようにすることを目的とする。
【課題を解決するための手段】
【０００８】
本発明の記録装置は、着脱可能な記録媒体に複数の関連した画像を記録する記録装置において、前記記録媒体内に存在するフォーマットの種類を識別し、前記識別したフォーマットに対応させて画像データを前記記録媒体に記録するデータ記録手段と、前記データ記録手段により前記記録媒体に記録する画像データの名称を連続したファイル名でネーミングする命名手段とを有し、前記データ記録手段は、前記記録媒体に複数の関連した画像を記録する際に、記録中の画像フォーマットの残り記録可能容量が所定の容量より少ないときには、前記複数の関連した画像の残りの画像を、記録中の画像フォーマットとは異なる他の画像フォーマットに記録し、前記命名手段は、前記複数の画像フォーマットに跨って記録された前記複数の関連した画像に関して、連続したファイル名を命名することを特徴としている。
【０００９】
本発明の記録方法は、着脱可能な記録媒体に複数の関連した画像を記録する記録方法において、前記記録媒体内に存在するフォーマットの種類を識別し、前記識別したフォーマットに対応させて画像データを前記記録媒体に記録するデータ記録工程と、前記データ記録工程により前記記録媒体に記録する画像データの名称を連続したファイル名でネーミングする命名工程とを有し、前記データ記録工程は、前記記録媒体に複数の関連した画像を記録する際に、記録中の画像フォーマットの残り記録可能容量が所定の容量より少ないときには、前記複数の関連した画像の残りの画像を、記録中の画像フォーマットとは異なる他の画像フォーマットに記録し、前記命名工程は、前記複数の画像フォーマットに跨って記録された前記複数の関連した画像に関して、連続したファイル名を命名することを特徴としている。
【００１０】
本発明のコンピュータプログラムは、着脱可能な記録媒体に複数の関連した画像を記録する記録方法をコンピュータに実行させるコンピュータプログラムにおいて、前記記録媒体内に存在するフォーマットの種類を識別し、前記識別したフォーマットに対応させて画像データを前記記録媒体に記録するデータ記録工程と、前記データ記録工程により前記記録媒体に記録する画像データの名称を連続したファイル名でネーミングする命名工程とを有し、前記データ記録工程は、前記記録媒体に複数の関連した画像を記録する際に、記録中の画像フォーマットの残り記録可能容量が所定の容量より少ないときには、前記複数の関連した画像の残りの画像を、記録中の画像フォーマットとは異なる他の画像フォーマットに記録し、前記命名工程は、前記複数の画像フォーマットに跨って記録された前記複数の関連した画像に関して、連続したファイル名を命名する記録方法をコンピュータに実行させることを特徴としている。
【００１１】
本発明の記録媒体は、前記に記載のコンピュータプログラムを記録したことを特徴としている。
【発明の効果】
【００１２】
本発明によれば、同一記録媒体内に複数のフォーマットが存在する記録メディアに対して、連写撮影等の複数の関連した画像を記録する際に、撮影中の画像を記録している画像ファーマットの残り容量が少ない時には、前記撮影中の画像を記録する画像ファーマットを、前記記録中の画像フォーマットから他の画像フォーマットに自動的に切り換えて画像を記録することができる。これにより、複数個のフォーマットが存在していることをユーザに意識させることなく、記録媒体の資源を最大限に有効利用することができる。
【発明を実施するための最良の形態】
【００１３】
（第１の実施の形態）
図１は、本発明の記録装置の特徴を最もよく表す画像記録再生装置の構成例を説明するブロック図である。図１において、ＭＣ１は記録再生可能なメモリカードＭＣ１、Ｃ１は被写体を映像信号に変換する撮像部、Ｂ２は各部の制御を行うシステムコントロール部、Ｂ３は撮像部Ｃ１から出力される映像信号の処理を行う撮像画像処理回路である。
【００１４】
Ｂ１は撮像画像処理回路Ｂ３において処理された映像信号、メモリカードＭＣ１への記録、メモリカードＭＣ１から再生された画像データの処理を行う記録/再生データ処理回路、Ｂ４はメモリカードＭＣ１のコントロールを行うＳＤ／ＭＭＣカード制御部、Ｖ１は撮影画像の表示や再生画像の表示を行う液晶パネル、Ｍ１は記録や再生時に画像データのバッファリングを行うためのメモリ、ＳＷ１は静止画撮影用スイッチ、ＳＷ２は動画撮影用のスイッチ、ＳＷ３は連写撮影・単写撮影切り換えスイッチである。
【００１５】
次に、複数のフォーマットが存在するメモリカードＭＣ１のフォーマット識別を行うシステムについての概要を説明する。
図２は、本実施の形態の画像記録再生装置におけるメモリカードＭＣ１と、ＳＤ/ＭＭＣカード制御部Ｂ４との関連を示したものである。
【００１６】
メモリカードＭＣ１内に２つのフォーマット２０１（第１のエリア２０２，第２のエリア２０３）が存在する時、ＳＤ/ＭＭＣカード制御部Ｂ４内のフォーマット識別部２０４がメモリカードＭＣ１内のフォーマットを識別する。
【００１７】
第１のエリア２０２が第１のフォーマットＡならば画像記録・再生時に第１のフォーマットＡ記録・再生部２０５により制御し、第２のエリア２０３が第２のファーマットＢならば第２のフォーマットＢ記録・再生部２０６が制御する。なお、図２において、２０７は第３のフォーマットＣ記録・再生部である。
【００１８】
次に、図３のフローチャートを参照しながら本実施の形態の画像記録再生装置の動作処理手順を示す。
本実施の形態の画像記録再生装置においては、メモリカードＭＣ１の装着を認識すると、ＳＤ/ＭＭＣカード制御部Ｂ４がメモリカードＭＣ１内のフォーマットを識別する（ステップＳ３０１）。
【００１９】
この識別結果をステップＳ３０２において判断し、複数のフォーマットが存在する場合にはステップＳ３０３に進む。ステップＳ３０３においては、連写撮影・単写撮影切り換えスイッチ（ＳＷ３）により連写モードが選択されているか否かが判断され、連写モードが選択されていたならば連写モードに入る（ステップＳ３０３）。
【００２０】
次に、ステップＳ３０４において、静止画撮影用スイッチＳＷ１が操作されるまで待機し、静止画撮影用スイッチＳＷ１が操作されて連写撮影が開始されると、ステップＳ３０５に進む。
【００２１】
ステップＳ３０５においては、ＳＤ/ＭＭＣカード制御部Ｂ４が第１のフォーマットＡ（２０２）の残り記録容量をチェックする。この結果、残り記録容量が予め設定した所定の残容量（例えば１ＭＢ以下）以下であるならば、撮影画像を記録するためのファイルパスを第２のフォーマットＢ（２０３）へ指定する（ステップＳ３０６）。
【００２２】
例えば、前回撮影したファイル名の次のファイル名を第２のフォーマットＢ（２０３）へ指定する。例えば、前回が"C:\102CANON\IMG＿0202.JPG"であった場合には、今回は"D:\102CANON\IMG＿0203.JPG"のように、前回画像記録したファイル名の次の番号から連続したファイル名で記録するようにする。
次に、ステップＳ３０７に進み、第２のフォーマットＢ（２０３）へ画像記録を開始する。
【００２３】
また、メモリカードＭＣ１内に単一のフォーマットしか存在しない場合や（ステップＳ３０２）、単写モードの場合（ステップＳ３０３）、第１のフォーマットＡに画像記録に十分な空き容量がある場合（ステップＳ３０５）は、前回記録されたファイル名の次のファイル名を指定し、通常の画像記録が行われる（ステップＳ３０８）。
【００２４】
次に、前記フローチャートの（ステップＳ３０６）におけるファイルパスの指定方法についての一例を図４に示す。
通常の単写撮影において、記録画像ファイルは、前回記録したファイル番号に１を加えて連番にネーミングされる。例えば、前回記録した画像のファイル名が"ＩＭＧ＿０２０１．ＪＰＧ"である場合、今回撮影した画像のファイル名は"ＩＭＧ＿０２０２．ＪＰＧ"となる。
【００２５】
これらのファイルが図４に示すような階層構造でファイルが存在する場合、画像記録の際にはファイルパスは次のように指定する。
C:\DCIM\102CANON\IMG＿0201.JPG（４０１）
C:\DCIM\102CANON\IMG＿0202.JPG（４０２）
このとき、第１のエリア（２０２）はＣドライブ、第２のエリア（２０３）をＤドライブとする。
【００２６】
次に、連写撮影における画像記録について説明する。
メモリカードＭＣ１に複数のファーマット（第１のフォーマットＡ、第２のフォーマットＢ）が存在し、第１のフォーマットＡに十分空き容量がある時は、連写撮影を行うと、C:\DCIM\102CANON\IMG＿0203.JPG
C:\DCIM\102CANON\IMG＿0204.JPG
といったファイルパスが指定される。
【００２７】
しかし、第１のフォーマットＡが所定の残容量以下（例えば残容量が１ＭＢ以下）である場合は、第２のフォーマットＢに対して第１のフォーマットＡと同じディレクトリ階層に前回記録したファイル名の次の番号のファイルパスを指定する。このとき、Ｄドライブに第２のフォーマットＢが存在するものとする。
D:\DCIM\102CANON\IMG＿0203.JPG（４０３）
D:\DCIM\102CANON\IMG＿0204.JPG（４０４）
【００２８】
本実施の形態では、連写撮影時に記録媒体へ画像記録する前に残容量チェックを行っているが、画像記録直前に残容量チェックすることにより複数枚の画像記録後、所定の残容量以下となった場合にも第２のフォーマットＢへファイルパスを指定することにより、連続して連写撮影することも可能である。
【００２９】
また、本実施の形態では、２つの異なるフォーマットが記録媒体内に存在する例を挙げたが、２つの同一フォーマットでもよく、また、異なる３つのフォーマットが存在してもよい。
【００３０】
（第２の実施の形態）
次に、本発明の第２の実施の形態を、図画を参照しながら説明する。
本実施の形態の画像記録再生装置の構成は、第１の実施の形態の画像記録再生装置と同様であるので、画像記録再生装置の構成については説明を省略する。本実施の形態の画像記録再生装置の動作処理手順を図５のフローチャートに示す。
【００３１】
図５に示したように、画像記録再生装置がメモリカードＭＣ１の装着を認識すると、メモリカードＭＣ１内のフォーマット識別を行い（ステップＳ５０１）、メモリカードＭＣ１内に複数のフォーマットが存在するか識別する（ステップＳ５０２）。この識別の結果、複数のフォーマットが存在する場合にはステップＳ５０３に進み、存在しない場合にはステップＳ５０９に進む。
【００３２】
ステップＳ５０３においては、動画撮影用スイッチ（ＳＷ２）が押下されることにより動画撮影が開始される。動画記録により記録されるファイルの一例を図６に示す。動画記録開始により"MVI＿0301.AVI"のファイルを作成し、メモリカードＭＣ１にデータ書き込みを開始する。
【００３３】
このとき、ＳＤ/ＭＭＣカード制御部Ｂ４は、メモリカードＭＣ１に対して、
C:\103CANON\MVI＿0301.AVI（６０１）
のファイルパスを指定する（ステップＳ５０４）。
【００３４】
次に、第１のエリア２０２の第１のフォーマットＡに対して残り記録容量をチェックして（ステップＳ５０５）所定の残容量（例えば２００ＫＢ以下）以下になると、動画撮影動作は終了することなく、第１のフォーマットＡへのデータ書き込みを中断し（ステップＳ５０６）、ファイルをクローズした後、第２のエリア（２０３）の第２のフォーマットＢへのファイルパス
D:\103CANON\MVI＿0302.AVI（６０２）
を指定して動画記録の続きを記録する（ステップＳ５０８）。
【００３５】
この際、前記第１のフォーマットＡに記録したファイルと前記第２のフォーマットＢへ記録したファイルとの関連情報を付加する（ステップＳ５０７）。
【００３６】
また、ステップＳ５０２の判定の結果、メモリカードＭＣ１内に単一のフォーマットしか存在しない場合は、ステップＳ５０９において、動画撮影用スイッチ（ＳＷ２）が押下されることにより動画撮影が開始した後、記録媒体の残容量をチェックして（ステップＳ５１０）、残容量が所定の残容量（例えば２００ＫＢ以下）以下ならば、動画記録を終了する（ステップＳ５１１）といった通常の記録動作を行う。
【００３７】
図７に、複数の画像フォーマットに跨る関連した画像の動画関連画像リストの一例を示す。
前記フロー（ステップＳ５０１〜５０８）に第１のフォーマットＡに記録されたファイル（６０１）と、第２のフォーマットＢに記録されたファイル（６０２）を一つの関連した動画像であるとすると、動画関連画像リストに記録された順にファイルパスを記載する（７０１）。この動画関連画像リストをリンク情報保持手段（図示せず）に保持しておき、再生時に利用するようにする。これにより、動画再生時において、ＣドライブとＤドライブに分かれて存在する２つのファイルが関連した動画像データであると判断して、一連の動画像データとして連続再生することが可能となる。
【００３８】
なお、前記実施の形態においては画像を記録する実施の形態について説明したが、図７の動画像関連画像リストにおいて、ＡＶＩ（audio visual interleaved file）の拡張子を示したように、音声データと画像データを交互に配置したインターリーブ形式を採用することにより、音声についても同様に記録することができる。
【００３９】
（本発明の他の実施の形態）
前述した実施の形態の機能を実現するべく各種のデバイスを動作させるように、前記各種デバイスと接続された装置あるいはシステム内のコンピュータに対し、前記実施の形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【００４０】
また、この場合、前記ソフトウェアのプログラムコード自体が前述した実施の形態の機能を実現することになり、そのプログラムコード自体、およびそのプログラムコードをコンピュータに供給するための手段、例えば、かかるプログラムコードを格納した記録媒体は本発明を構成する。かかるプログラムコードを記録する記録媒体としては、例えばフレキシブルディスク、ハードディスク、光ディスク、光磁気ディスク、ＣＤ−ＲＯＭ、磁気テープ、不揮発性のメモリカードＭＣ１、ＲＯＭ等を用いることができる。
【００４１】
また、コンピュータが供給されたプログラムコードを実行することにより、前述の実施の形態の機能が実現されるだけでなく、そのプログラムコードがコンピュータにおいて稼働しているＯＳ（オペレーティングシステム）あるいは他のアプリケーションソフト等と共同して前述の実施の形態の機能が実現される場合にもかかるプログラムコードは本発明の実施の形態に含まれる。
【００４２】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって前述した実施の形態の機能が実現される場合にも本発明に含まれる。
【図面の簡単な説明】
【００４３】
【図１】本発明による画像記録装置の第１の実施の形態を示し、画像記録再生装置の基本構成を示すブロック図である。
【図２】複数のフォーマットを識別する構成例の概要を示す図である。
【図３】第１の実施の形態における画像記録装置の動作処理例を示すフローチャートである。
【図４】連写記録時におけるネーミングの仕方の一例を示す図である。
【図５】第２の実施の形態における画像記録装置の動作処理例を示すフローチャートである
【図６】動画記録時におけるネーミングの仕方の一例を示す図である。
【図７】動画関連画像リストの一例を示す図である。
【符号の説明】
【００４４】
Ｃ１  撮像部
Ｂ１  記録/再生データ処理回路
Ｂ２  システムコントローラ
Ｂ３  カメラ映像信号処理回路
Ｂ４  ＳＤ/ＭＭＣ カード制御部
Ｍ１  データメモリ
ＭＣ１  メモリカードＭＣ１
Ｖ１  ＬＣＤパネル
ＳＷ１  静止画撮影用スイッチ
ＳＷ２  動画撮影用スイッチ
ＳＷ３  連写撮影・単写撮影切り換えスイッチ
【図１】
2005333249.tif 000003
【図２】
2005333249.tif 000004
【図３】
2005333249.tif 000005
【図４】
2005333249.tif 000006
【図５】
2005333249.tif 000007
【図６】
2005333249.tif 000008
【図７】
2005333249.tif 000009